(57)【要約】【課題】  ユーザにとって望ましい録画番組管理を実現でき、ユーザが何時でも何処でもより良い品質で番組を視聴できるようにする。【解決手段】  自動番組録画装置２１は、全チャンネルの全番組を一時的に常時録画領域２２に録画している。ユーザ１の携帯電話端末１１は、テレビジョン番組の受信と録画機能を備えている。外出時にユーザが携帯電話端末１１にて所望のテレビジョン番組の視聴や録画を行った後帰宅した場合、携帯電話端末１１は、自宅の自動番組録画装置２１へ、上記外出時に視聴や録画された番組を特定する番組特定情報（番組タイトルデータ）を送る。この番組特定情報を受け取った自動番組録画装置２１は、その番組特定情報に応じた番組を、常時録画領域２２から保存データ領域に移して保存させる。【選択図】  図２
2007251280.tif 000002
【特許請求の範囲】
【請求項１】
複数チャンネルのテレビジョン放送を受信するための放送受信部と、
上記放送受信部が受信した複数チャンネルの複数のテレビジョン番組のデータを一時的に録画する録画部と、
上記録画部に一時的に録画されたテレビジョン番組のデータを必要に応じて保存するための保存部と、
ユーザの携帯端末との間で通信を行うための通信部と、
上記ユーザの携帯端末にて少なくとも一部が受信されたテレビジョン番組若しくは上記ユーザの所望するテレビジョン番組を特定可能な番組特定情報が、上記通信部を通じて取得された時、上記録画部に一時的に録画されているテレビジョン番組のうち、当該番組特定情報に応じたテレビジョン番組のデータを上記保存部へ保存させるデータ管理を行う制御部と、
を有することを特徴とする番組録画装置。
【請求項２】
上記制御部は、上記録画部に一時的に録画されているテレビジョン番組のデータのうち、上記保存部へ保存すべきテレビジョン番組を除く他のテレビジョン番組のデータを削除可能なデータとするデータ管理を行うことを特徴とする請求項１記載の番組録画装置。
【請求項３】
上記制御部は、新たに録画するテレビジョン番組のデータにより、上記削除可能なデータを上書きさせるデータ管理を行うことを特徴とする請求項２記載の番組録画装置。
【請求項４】
上記制御部は、上記ユーザの携帯端末にて受信されて少なくとも一部が録画されたテレビジョン番組を特定する番組特定情報を、上記通信部を通じて取得した時、上記録画部に一時的に録画されているテレビジョン番組のうち、当該番組特定情報に応じたテレビジョン番組のデータを上記保存部へ保存させるデータ管理を行うことを特徴とする請求項１記載の番組録画装置。
【請求項５】
上記制御部は、上記録画部に録画若しくは上記保存部に保存されたテレビジョン番組のデータのうち、上記番組特定情報に応じたテレビジョン番組のデータを、上記通信部を通じて上記携帯端末へ転送させることを特徴とする請求項１記載の番組録画装置。
【請求項６】
上記制御部は、上記番組特定情報に応じたテレビジョン番組のデータを上記携帯端末へ転送させる際に、当該テレビジョン番組のデータを上記携帯端末が扱うデータ形式に変換することを特徴とする請求項５記載の番組録画装置。
【請求項７】
上記制御部は、上記番組特定情報に応じたテレビジョン番組のデータを保存するための空き領域が上記保存部に無い時には、上記通信部を通じて上記携帯端末へエラー通知を行うことを特徴とする請求項１記載の番組録画装置。
【請求項８】
上記制御部は、所定の評価項目に基づいて、上記保存部に保存されるテレビジョン番組の優先度を求め、上記番組特定情報に応じたテレビジョン番組のデータを保存するための空き領域が上記保存部に無い時には、上記保存部に保存されているテレビジョン番組のうち、上記優先度の低いテレビジョン番組に対応したユーザの携帯端末へ、上記通信部を通じて番組データの削除依頼通知を行うことを特徴とする請求項１記載の番組録画装置。
【請求項９】
上記制御部は、複数の携帯端末から供給された上記番組特定情報に応じて、上記録画部から保存部へのテレビジョン番組のデータ保存の管理を行うことを特徴とする請求項１記載の番組録画装置。
【請求項１０】
テレビジョン放送を受信するためのテレビジョン受信部と、
テレビジョン番組のデータを録画するための録画部と、
所定の番組録画装置との間で通信を行うための通信部と、
上記ユーザの携帯端末にて少なくとも一部が受信されたテレビジョン番組若しくは上記ユーザの所望するテレビジョン番組を特定可能な番組特定情報を、上記通信部を通じて、上記所定の番組録画装置へ送信させる送信制御を行う制御部と、
を有することを特徴とする携帯端末。
【請求項１１】
上記制御部は、上記録画部に録画されているテレビジョン番組のデータを、上記番組録画装置への上記番組特定情報の送信に対応して上記番組録画装置から転送されてきたテレビジョン番組のデータにより置換することを特徴とする請求項１０記載の携帯端末。
【請求項１２】
複数チャンネルの複数のテレビジョン番組のデータを一時的に録画し、ユーザの携帯端末にて少なくとも一部が受信されたテレビジョン番組若しくは上記ユーザの所望するテレビジョン番組を特定可能な番組特定情報を取得した時、上記一時的に録画されているテレビジョン番組のうち、当該番組特定情報に応じたテレビジョン番組のデータを保存する番組録画装置と、
テレビジョン番組を受信して録画すると共に、少なくとも一部が受信されたテレビジョン番組若しくは上記ユーザの所望するテレビジョン番組を特定可能な番組特定情報を、上記番組録画装置へ送信させる携帯端末と、
を有することを特徴とする番組録画管理システム。
【請求項１３】
上記番組録画装置は、上記一時的に録画されているテレビジョン番組のデータのうち、上記保存すべきテレビジョン番組を除く他のテレビジョン番組のデータを削除可能なデータとすることを特徴とする請求項１２記載の番組録画管理システム。
【請求項１４】
上記番組録画装置は、新たに録画するテレビジョン番組のデータにより、上記削除可能なデータを上書きさせるデータ管理を行うことを特徴とする請求項１３記載の番組録画管理システム。
【請求項１５】
上記番組録画装置は、上記ユーザの携帯端末にて受信されて少なくとも一部が録画されたテレビジョン番組を特定する番組特定情報を取得した時、上記一時的に録画されているテレビジョン番組のうち、当該番組特定情報に応じたテレビジョン番組のデータを上記保存させることを特徴とする請求項１２記載の番組録画管理システム。
【請求項１６】
上記番組録画装置は、上記録画若しくは上記保存されたテレビジョン番組のデータのうち、上記番組特定情報に応じたテレビジョン番組のデータを、上記携帯端末へ転送させることを特徴とする請求項１２記載の番組録画管理システム。
【請求項１７】
上記番組録画装置は、上記番組特定情報に応じたテレビジョン番組のデータを上記携帯端末へ転送させる際に、当該テレビジョン番組のデータを上記携帯端末が扱うデータ形式に変換することを特徴とする請求項１６記載の番組録画管理システム。
【請求項１８】
上記携帯端末は、上記録画されているテレビジョン番組のデータを、上記番組録画装置への上記番組特定情報の送信に対応して当該番組録画装置から転送されてきたテレビジョン番組のデータにより置換することを特徴とする請求項１６記載の番組録画管理システム。
【請求項１９】
上記番組録画装置は、上記番組特定情報に応じたテレビジョン番組のデータを保存するための空き領域が無い時には、上記携帯端末へエラー通知を行うことを特徴とする請求項１２記載の番組録画管理システム。
【請求項２０】
上記番組録画装置は、所定の評価項目に基づいて、上記保存されるテレビジョン番組の優先度を求め、上記番組特定情報に応じたテレビジョン番組のデータを保存するための空き領域が無い時には、上記保存されているテレビジョン番組のうち、上記優先度の低いテレビジョン番組に対応したユーザの携帯端末へ、番組データの削除依頼通知を行うことを特徴とする請求項１２記載の番組録画管理システム。
【発明の詳細な説明】
【技術分野】
【０００１】
本発明は、複数チャンネルの複数のテレビジョン番組を録画する番組録画装置、テレビジョン番組を受信及び録画可能なテレビジョン機能付きの携帯端末、それら番組録画装置と携帯端末を有する番組録画管理システムに関する。
【背景技術】
【０００２】
近年は、大容量のＨＤＤ（ハードディスクドライブ）とＤＶＤ（デジタルバーサータイルディスク）記録再生機能を搭載したテレビジョン放送録画装置の普及が進み、テレビジョン番組の録画と再生視聴が手軽に行えるようになっている。また最近は、複数のチューナを搭載し、その地域で受信可能な全チャンネルの全番組を自動録画する機能を備えたテレビジョン放送録画装置も登場している。なお、以下の説明において、テレビジョン放送は、アナログ、デジタルの何れをも限定しないこととする。また、以下の説明において、全チャンネルの全テレビジョン番組を自動録画する機能を備えたテレビジョン放送録画装置を、自動番組録画装置と表記する。
【０００３】
また近年は、テレビジョン放送の受信・録画機能を備えた携帯電話機等の携帯端末も製品化されており、当該携帯端末を用いることにより、家庭内だけでなく外出先等でも手軽にテレビジョン番組の視聴や録画が可能となっている。なお、以下の説明において、テレビジョン放送の受信・録画機能を備えた携帯端末を、テレビジョン機能付き携帯端末と表記する。
【０００４】
このように、それら自動番組録画装置やテレビジョン機能付き携帯端末の普及により、ユーザは、同時間帯に放送されている複数のテレビジョン番組であっても必要に応じてそれら全てを視聴することができ、また、何時でも何処でも所望のテレビジョン番組を視聴可能となっている。
【０００５】
なお、特開２００１−３０９３３４号の公開特許公報（特許文献１）には、放送局から通信回線又は放送回線のいずれかの回線を介して受信する複数の番組データを録画データベースに記憶可能となされた番組録画配信システムが開示されている。
【０００６】
また、特開２００６−１３７０７号の公開特許公報（特許文献２）には、テレビジョン放送の受信，再生機能を備えた携帯電話端末と、携帯電話端末にて放送番組を録画する場合において、テレビジョン受信機能を内蔵したパーソナルコンピュータに、その端末がクレードル等を介して接続されている場合、端末における録画対象番組の受信チャンネルや開始終了時間などの録画情報をパーソナルコンピュータ側へ送信し、そのパーソナルコンピュータにて録画対象番組を良好な状態で受信させ、その録画対象番組のデータを携帯電話端末へ転送させて録画するようになされたシステムが開示されている。
【０００７】
【特許文献１】特開２００１−３０９３３４号公報（図１）
【特許文献２】特開２００６−１３７０７号公報（図１）
【発明の開示】
【発明が解決しようとする課題】
【０００８】
ところで、上述した自動番組録画装置は、大容量のＨＤＤを備えているが、その記憶容量には当然ながら限りがあり、全チャンネルの全番組を永久に録画し続けることはできず、したがって一旦録画した番組を何れは消去するか若しくは別の記録媒体へ移し替えなければならなくなる。但し、従来の自動番組録画装置は、何れの番組を消去しても構わないのか、或いは、何れの番組データを別の記録媒体へ移し換えるべきなのかを、自らが自動で判別することは出来ない。したがって、従来の自動番組録画装置では、ＨＤＤの空き領域が無くなった場合、例えば、古い録画済みの番組データに新しい番組データを上書きするような強制的な消去を行ったり、或いは、ユーザに対して番組の削除や別の記録媒体へのデータ移し換えを要求するようになされている。しかしながら、上記上書きによる強制消去の場合は、例えばユーザが保存しておきたかった番組であっても自動的に消去されてしまうことになり好ましくない。一方、上記ユーザへの番組削除要求やデータ移し換え要求がなされる場合、ユーザは、時間と手間をかけて番組削除やデータの移し換えの操作を行わなければならず、非常に面倒である。
【０００９】
また、上述したテレビジョン機能付き携帯端末では、例えば外出先等であっても手軽にテレビジョン番組の視聴や録画が可能であるが、処理能力と記憶容量の制約から、高精度な映像を長時間録画することが難しい。また、携帯端末のような移動体端末の場合、電波状態の良し悪しや電波状態の変化などの理由から、テレビジョン放送を常に良好に視聴及び録画できるとは限らない。
【００１０】
すなわち、従来の自動番組録画装置やテレビジョン機能付き携帯端末の場合は、ユーザにとって本当に望ましい録画番組管理が行われているとは言い難く、また、ユーザが何時でも何処でもより良い品質で番組を視聴できているとは言い難いのが実状である。
【００１１】
本発明は、このような実情に鑑みて提案されたものであり、ユーザにとって本当に望ましい録画番組管理を実現でき、また、ユーザが何時でも何処でもより良い品質で番組を視聴できるような番組録画装置、携帯端末、番組録画管理システムを提供することを目的とする。
【課題を解決するための手段】
【００１２】
本発明の番組録画装置は、複数チャンネルのテレビジョン放送を受信するための放送受信部と、放送受信部が受信した複数チャンネルの複数のテレビジョン番組のデータを一時的に録画する録画部と、録画部に一時的に録画されたテレビジョン番組のデータを必要に応じて保存するための保存部と、ユーザの携帯端末との間で通信を行うための通信部と、ユーザの携帯端末にて少なくとも一部が受信されたテレビジョン番組若しくはユーザの所望するテレビジョン番組を特定可能な番組特定情報が取得された時、録画部に一時的に録画されているテレビジョン番組のうち、当該番組特定情報に応じたテレビジョン番組のデータを保存部へ保存させるデータ管理を行う制御部とを有することにより、上述した課題を解決する。
【００１３】
また、本発明の携帯端末は、テレビジョン放送を受信するためのテレビジョン受信部と、テレビジョン番組のデータを録画するための録画部と、所定の番組録画装置との間で通信を行うための通信部と、ユーザの携帯端末にて少なくとも一部が受信されたテレビジョン番組若しくはユーザの所望するテレビジョン番組を特定可能な番組特定情報を、所定の番組録画装置へ送信させる送信制御を行う制御部とを有することにより、上述した課題を解決する。
【００１４】
また、本発明の番組録画管理システムは、複数チャンネルの複数のテレビジョン番組のデータを一時的に録画し、ユーザの携帯端末にて少なくとも一部が受信されたテレビジョン番組若しくはユーザの所望するテレビジョン番組を特定可能な番組特定情報を取得した時、上記一時的に録画されているテレビジョン番組のうち、当該番組特定情報に応じたテレビジョン番組のデータを保存する番組録画装置と、テレビジョン番組を受信して録画すると共に、少なくとも一部が受信されたテレビジョン番組若しくはユーザの所望するテレビジョン番組を特定可能な番組特定情報を番組録画装置へ送信させる携帯端末とを有することにより、上述した課題を解決する。
【００１５】
すなわち、本発明によれば、番組録画装置は複数のテレビジョン番組を一時的に録画しており、携帯端末にて受信や録画等されたテレビジョン番組を特定する番組特定情報を取得した時、一時的に録画している番組の中から、その番組特定情報に応じた番組のみを保存番組とする。
【発明の効果】
【００１６】
本発明によれば、番組録画装置は複数のテレビジョン番組を一時的に録画し、携帯端末にて受信や録画等されたテレビジョン番組を特定する番組特定情報を取得した時に、それら一時的に録画している番組の中から、その番組特定情報に応じた番組のみを保存番組とすることにより、ユーザにとって本当に望ましい録画番組管理を実現でき、また、ユーザは何時でも何処でもより良い品質で番組を視聴可能となる。
【発明を実施するための最良の形態】
【００１７】
以下、図面を参照しながら、本発明の一実施形態について説明する。
【００１８】
なお、以下の説明では、本発明の番組録画装置、テレビジョン機能付き携帯端末、番組録画管理システムの一実施形態として、全チャンネルの全テレビジョン番組を自動録画する機能を備えたテレビジョン放送録画装置（自動番組録画装置）と、テレビジョン放送の受信・録画機能を備えた携帯電話端末とからなる番組録画管理システムを例に挙げているが、勿論、ここで説明する内容はあくまで一例であり、本発明はこの例に限定されないことは言うまでもない。また、本実施形態では、本発明の携帯端末として携帯電話端末を例に挙げているが、本発明はそれにも限定されず、ＰＤＡ（Personal Digital Assistants）等の他のタイプの携帯端末にも勿論適用可能である。
【００１９】
〔番組録画管理システムの概略構成〕
図１には、本発明実施形態の番組録画管理システム全体の基本構成図を示す。
【００２０】
本実施形態の番組録画管理システムにおいて、自動番組録画装置２１は、例えば携帯電話端末１１のユーザ１の家庭内に設けられている例えば据え置き型のＨＤＤ・ＤＶＤ搭載番組録画サーバであり、全チャンネルの全テレビジョン放送番組を自動的に受信して録画する自動録画機能と、携帯電話端末１１と連携することにより、上記録画した全番組のうち不要な番組のデータを自動的に消去する自動消去機能と、携帯電話端末１１と連携することにより、上記録画した全番組のうち必要な番組のデータを自動的に保存する自動保存機能と、録画した番組の映像及び音声データ（以下、ＡＶデータと表記する。）を必要に応じて携帯電話端末１１へ転送するＡＶデータ転送機能と、上記携帯電話端末１１へのＡＶデータ転送の際に、当該ＡＶデータを上記携帯電話端末１１にて扱えるデータ形式へ変換するデータ変換機能とを、少なくとも備えている。当該自動番組録画装置２１の詳細な構成については後述する。
【００２１】
また、本実施形態の自動番組録画装置２１は、上記受信した番組データを記録するためのデータ記録領域として、全チャンネルの全テレビジョン放送番組を常に録画し続けるための常時録画領域２２と、上記常時録画領域２２に一時的に録画された番組データのうち、保存すべき番組データを移し換えて記録するための保存データ領域２３とを備えている。上記常時録画領域２２には例えばＨＤＤが用いられ、上記保存データ領域２２には例えばＤＶＤ等の別の記録媒体や上記常時録画領域２２用のＨＤＤとは別のＨＤＤが用いられる。なお、上記常時録画領域２２と保存データ領域２３には同一のＨＤＤを用いることも可能であり、その場合、保存すべき録画番組データには所定の保存フラグ（消去禁止フラグ）が立てられる。
【００２２】
携帯電話端末１１は、ユーザ１が使用する端末であり、一般的な携帯電話端末が備えている全ての機能に加えて、少なくとも一つのチャンネルのテレビジョン放送を受信及び録画する番組受信録画機能と、上記自動番組録画装置２１へ後述する所定の更新要求を送信するための更新要求送信機能と、上記自動番組録画装置２１からのＡＶデータを受信して保存するＡＶデータ受信機能と、上記受信したＡＶデータを再生するためのＡＶ再生機能とを、少なくとも備えている。なお、当該携帯電話端末１１にて受信可能なテレビジョン放送は、一般的なアナログ放送やデジタル放送の何れであっても良いし、モバイルテレビジョン放送のみであっても良い。当該テレビジョン機能付き携帯電話端末１１の詳細な構成については後述する。
【００２３】
また本実施形態のシステムにおいて、上記携帯電話端末１１と自動番組録画装置２１との間で行われるデータの転送は、例えばいわゆるクレードルやメモリカードを介した転送、近距離通信などを介して行われる。なお、本実施形態で使用可能な近距離通信には、いわゆるブルートゥース（BlueTooth：商標）、アドホックモードの無線ＬＡＮ、ホームアールエフ（Home Radio Frequency）、ＩｒＳｉｍｐｌｅ（ＩｒＤＡ：赤外線通信）、無線ＵＳＢ（Universal Serial Bus）などが含まれる。その他、無線ＬＡＮの場合は、必ずしも近距離通信である必要はない。
【００２４】
〔第１のユースケース〕
本発明実施形態の番組録画管理システムの第１のユースケースについて、図１及び図２を用いて説明する。
【００２５】
第１のユースケースにおいて、ユーザ１が屋外等に居る場合、本実施形態のテレビジョン機能付き携帯電話端末１１は、図１に示すように、ユーザが予約録画若しくはその場で録画を望んだテレビジョン放送番組（この例では番組Ａ）を受信して録画する。このときの番組Ａのデータには、当該番組Ａの映像及び音声データ（ＡＶデータ）と、当該番組Ａの放送日時、番組名、あらすじ、ジャンル、出演者、キーワードなどを含んだ番組タイトルデータとが含まれる。本実施形態の携帯電話端末１１は、上記番組ＡのＡＶデータと、当該番組Ａのデータの一部として含まれている上記番組タイトルデータとを受信し、内部メモリや内蔵ＨＤＤ等に記録（録画）する。なお、携帯電話端末１１に記録するデータ量を軽減したい場合には、上記番組タイトルデータのみを記録することも可能であり、図１の例では番組Ｂの番組タイトルデータが記録された例を挙げている。
【００２６】
一方、当該第１のユースケースにおいて、自宅等に設置されている本実施形態の自動番組録画装置２１は、図１に示すように、受信可能な全チャンネルの全テレビジョン番組を一時的なデータとして上記常時録画領域２２に録画し続けている。なお、ここでは、一週間分のＮｃｈの全番組を録画し続けている例を挙げているが、その他に、例えばユーザの好みに合った番組のみを全て録画するようにしても良い。
【００２７】
次に、本実施形態の第１のユースケースにおいて、自宅等の自動番組録画装置２１の設置場所にユーザ１が戻った場合、図２に示すように、携帯電話端末１１は、前述した近距離通信、或いはクレードル等を介した通信により、自動番組録画装置２１に対して更新要求を発行する。
【００２８】
ここで、上記携帯電話端末１１から発行される更新要求には、当該携帯電話端末１１にて受信してユーザが視聴した番組や当該端末１１にて録画（予約録画を含む）された番組、若しくはユーザが視聴したいと望んでいる番組に関するデータ、すなわち、上記視聴や録画された番組（図１，図２の例では番組Ａ）、若しくはユーザが視聴を望んでいる番組の番組タイトルデータ（図１，図２の例では番組Ｂの番組タイトルデータ）のような、少なくともそれら番組を個々に特定可能なデータ（以下、番組特定情報と表記する。）が含まれる。なお、番組特定情報は、番組タイトルデータの全てを含んでいても良いし、番組タイトルデータ内の一部（例えば放送日時や番組名等、その番組を一意に特定可能なデータのみ）であっても良い。
【００２９】
上記更新要求を受け取った自動番組録画装置２１は、当該更新要求に含まれる番組特定情報に基づいて、上記常時録画領域２２内に録画されている全番組のデータの中から、上記携帯電話端末１１のユーザが保存を望んでいる番組（ユーザが嗜好している番組）が何れであるかを判断し、ユーザにより保存が望まれている番組のデータを上記保存データ領域２３に保存する。言い換えると、自動番組録画装置２１は、上記保存データ領域２３に保存すると判断した番組データを除いた残りの番組のデータについては、上記常時録画領域２２から削除可能な番組データであると判断する。なお、上記常時録画領域２２から保存データ領域２３へのデータ転送が完了している場合には、上記保存データ領域２３に保存すると判断された番組データも上記常時録画領域２２から削除可能なデータとなされる。そして、自動番組録画装置２１は、新たな番組データを上記常時録画領域２２に録画する際には、それら削除可能な番組データに当該新たな番組データを上書きするような書き込み処理を行う。
【００３０】
これにより、自動番組録画装置２１では、上記携帯電話端末１１にてユーザにより視聴された番組や録画された番組、若しくはユーザが視聴したいと望んでいる番組のデータ、すなわち図１，図２の例では上記番組Ａの録画番組データと上記番組Ｂの番組タイトルに対応した録画番組データ（つまり番組Ｂの録画番組データ）とが、常時録画領域２２から保存データ領域２３へ転送されて保存されることになる。
【００３１】
以上のようなことから、本実施形態の第１のユースケースによれば、ユーザ１が携帯電話端末１１で視聴や録画（予約録画を含む）等した番組のようにユーザが嗜好する番組のみが自動番組録画装置２１にて自動的に保存され、他の不要な番組は自動番組録画装置２１にて自動的に削除されるような録画番組管理を実現可能となる。また、本実施形態の第１のユースケースによれば、自動番組録画装置２１には、携帯電話端末１１にて視聴や録画等された番組データよりも高品質な番組データを保存しておくことが可能となる。
【００３２】
〔第２のユースケース〕
本発明実施形態の番組録画管理システムの第２のユースケースについて、図３及び図４を用いて説明する。
【００３３】
第２のユースケースにおいて、ユーザ１が屋外等に居る場合、本実施形態のテレビジョン機能付き携帯電話端末１１は、図３に示すように、ユーザが予約録画若しくはその場で録画を望んだテレビジョン放送番組（この例では番組Ｃ）を受信して録画する。このとき、例えば、電波状態の悪化などの理由からテレビジョン放送の受信が途切れて番組Ｃのデータを受信及び録画できなくなったり、或いは、テレビジョン放送の受信中に着呼などの割り込み処理により番組Ｃのデータを受信及び録画できなくなったり、或いは、番組Ｃの視聴途中でユーザが録画を開始させたことで番組Ｃを途中から録画されたような場合、本実施形態の携帯電話端末１１は、それら受信不能や割り込み、途中録画開始等の発生によって、部分的な録画がなされたことを示す情報を、当該番組Ｃの番組タイトルデータ及び番組Ｃの部分録画されたＡＶデータと共に、内部メモリや内蔵ＨＤＤ等に記録する。なお、上記受信不能について、本実施形態の携帯電話端末１１は、例えばテレビジョン放送電波の受信レベルの低下やエラーレートの低下を検出し、上記受信レベルが閾値以下になった時やエラーレートが閾値以下になった時に、上記受信不能になったと判定するようになされている。また、本実施形態の携帯電話端末１１において、例えば上記受信不能等により番組Ｃの録画が全くできなかった場合には、上記ＡＶデータの記録は行われないことになるが、上記番組Ｃの番組タイトルデータについては予め受信等して記憶している番組表データ（いわゆるＥＰＧデータ）から取得可能である。図３の例では、番組Ｃの他に、番組Ｄの番組タイトルデータも記録されている例を挙げている。
【００３４】
一方、当該第２のユースケースにおいて、自宅等に設置されている本実施形態の自動番組録画装置２１では、前述の第１のユースケースの場合と同様に、受信可能な全チャンネルの全テレビジョン番組、或いは、ユーザ１の好みに合った全ての番組を、一時的なデータとして上記常時録画領域２２に録画し続けている。
【００３５】
次に、本実施形態の第２のユースケースにおいて、自宅等の自動番組録画装置２１の設置場所にユーザ１が戻った場合、図４に示すように、携帯電話端末１１は、前述した近距離通信、或いはクレードル等を介した通信により、自動番組録画装置２１に対して更新要求を発行する。
【００３６】
ここで、本実施形態の第２のユースケースの場合、上記携帯電話端末１１から発行される更新要求には、当該携帯電話端末１１にて上述した受信不能や割り込み、途中録画開始等の発生によって正常に視聴や録画ができなかった番組に関するデータ、すなわち上記受信不能や割り込み、途中録画開始等が発生した番組（図３，図４の例では番組Ｃ）、若しくはユーザが視聴を望んでいる番組の番組タイトルデータ（図３，図４の例では番組Ｄの番組タイトルデータ）のような、少なくともそれら番組を個々に特定可能なデータ（番組特定情報）が含まれる。
【００３７】
そして、本実施形態の第２のユースケースにおいて、上記更新要求を受け取った自動番組録画装置２１は、前述の第１のユースケースの場合と同様に、上記更新要求に含まれる番組特定情報に基づいて、上記常時録画領域２２内に録画されている全番組のデータの中から、上記携帯電話端末１１のユーザが保存を望んでいる番組が何れであるかを判断し、ユーザにより保存が望まれている番組のデータを上記保存データ領域２３に保存し、一方、当該保存データ領域２３に保存すると判断した番組データを除いた残りの番組のデータについては上記常時録画領域２２から削除可能な番組とする。
【００３８】
さらに、本実施形態の第２のユースケースの場合、自動番組録画装置２１は、上記番組特定情報により特定された番組のデータ、すなわち図３，図４の例では番組Ｃと番組ＤのＡＶデータを、上記携帯電話端末１１にて扱えるデータ形式へ変換（つまり再エンコード）して、当該携帯電話端末１１へ転送する処理を行うことも可能となされている。なお、当該第２のユースケースにおいて、上記自動番組録画装置２１から携帯電話端末１１へのＡＶデータの転送は、ユーザから転送指示入力があった場合にのみ行われても良いし、上述したような正常な視聴や録画が出来なかった番組が存在した場合には自動的に行われても良く、それらは任意に設定可能となされている。
【００３９】
以上のように、本実施形態の第２のユースケースによれば、携帯電話端末１１にて上記受信不能や割り込み、途中録画開始等の発生により正常に視聴や録画ができなかった番組のＡＶデータが、自動番組録画装置２１にて常時録画領域２２から保存データ領域２３へ保存されるため、ユーザ１は、携帯電話端末１１にて正常に視聴や録画ができなかった番組を視聴可能となる。また、第２のユースケースによれば、携帯電話端末１１にて上述のように正常に視聴や録画ができなかった番組のＡＶデータを、必要に応じて自動番組録画装置２１から携帯電話端末１１へ転送可能となされているため、ユーザ１は、それら番組を携帯電話端末１１にて視聴したり携帯電話端末１１内に保存することができるようになる。さらに、このとき携帯電話端末１１へ転送されるＡＶデータは、上記自動番組録画装置２１にて録画された番組を再エンコードしたＡＶデータであるため、ユーザ１は高品質のＡＶデータによる番組視聴が可能となる。
【００４０】
なお、第２のユースケースでは、上述のように正常に視聴や録画ができなかった番組のＡＶデータを自動番組録画装置２１から携帯電話端末１１へ転送する例を挙げたが、本発明によれば、前述の第１のユースケースのように正常に視聴や録画ができた番組のＡＶデータを、自動番組録画装置２１にて再エンコードして携帯電話端末１１へ転送することも可能である。この場合、携帯電話端末１１で既に視聴，録画等された番組よりも、さらに高品質な番組のＡＶデータを携帯電話端末１１に保存しておくことが可能となる。
【００４１】
〔第３のユースケース〕
本発明実施形態の番組録画管理システムの第３のユースケースについて、図５を用いて説明する。
【００４２】
第１のユースケースにおいて、複数のユーザが屋外等に居る場合、本実施形態にかかる複数の携帯電話端末は、それぞれユーザが予約録画若しくはその場で録画を望んだテレビジョン放送番組を受信して録画する。図５では、三人のユーザ１〜３と各ユーザの携帯電話端末１１〜１３を挙げており、例えばユーザ１の携帯電話端末１１では番組Ｅと番組Ｆが受信されて録画され、ユーザ２の携帯電話端末１２では番組Ｇと番組Ｆが、ユーザ３の携帯電話端末１３では番組Ｉと番組Ｊが受信されて録画された例を挙げている。これらユーザ１〜３の各携帯電話端末１１〜１３にて録画された番組Ｅ〜番組Ｊのデータには、前述の第１，第２のユースケースと同様に、各番組Ｅ〜番組Ｊの番組タイトルデータと、それら番組Ｅ〜番組ＪのＡＶデータとが含まれ、したがって、上記携帯電話端末１１〜１３は、それら番組Ｅ〜番組Ｊの番組タイトルデータ及びＡＶデータを受信し、内部メモリや内蔵ＨＤＤ等に記録（録画）する。勿論このユースケースの場合も前述同様に、番組タイトルデータのみを記録することも可能である。
【００４３】
一方、当該第３のユースケースにおいて、自宅等に設置されている本実施形態の自動番組録画装置２１は、前述の第１，第２のユースケースの場合と同様に、受信可能な全チャンネルの全テレビジョン番組を一時的なデータとして上記常時録画領域２２に録画し続けている。
【００４４】
次に、本実施形態の第３のユースケースにおいて、自宅等の自動番組録画装置２１の設置場所にユーザ１〜３が戻った場合、図５に示すように、それらユーザ１〜３の各携帯電話端末１１〜１３は、前述した近距離通信、或いはクレードル等を介した通信により、一台の自動番組録画装置２１に対して更新要求を発行する。すなわちこの第３のユースケースの場合、１台の自動番組録画装置２１に対して複数の携帯電話端末１１〜１３がアクセス可能となされている。なお、自動番組録画装置２１の設置場所にユーザ１〜３が戻る時刻は異なっていても良いし、同じであっても良く、各携帯電話端末１１〜１３が一台の自動番組録画装置２１に対して更新要求を発行した時刻についても同様に、異なっていても良いし、同じであっても良い。
【００４５】
ここで、当該第３のユースケースにおいて、上記携帯電話端末１１から発行される更新要求には、当該携帯電話端末１１にて受信してユーザが視聴した番組や当該端末１１にて受信及び録画（予約録画を含む）された番組、若しくはユーザが視聴したいと望んでいる番組に関するデータ、すなわち、上記視聴や録画された番組（図５の例では番組Ｅ、番組Ｆ）についての番組特定情報が含まれる。同様に、上記携帯電話端末１２から発行される更新要求には、当該携帯電話端末１２にて録画等された番組（図５の例では番組Ｇ、番組Ｈ）についての番組特定情報が含まれ、上記携帯電話端末１３から発行される更新要求には、当該携帯電話端末１３にて録画等された番組（図５の例では番組Ｉ、番組Ｊ）についての番組特定情報が含まれる。
【００４６】
次に、上記各携帯電話端末１１〜１３から上記更新要求を受け取った自動番組録画装置２１は、前述の第１，第２のユースケースの場合と同様に、当該更新要求に含まれる番組特定情報に基づいて、上記常時録画領域２２内に録画されている全番組のデータの中から、上記携帯電話端末１１〜１３のユーザ１〜３が保存を望んでいる番組が何れであるかを判断し、それらユーザ１〜３により保存が望まれている番組のデータを上記保存データ領域２３に保存する。そして、当該第３のユースケースの場合、各ユーザ１〜３は他のユーザの更新要求に基づいて保存された番組も視聴可能となされており、また、各ユーザ１〜３にて同一の番組が保存された場合にはそれら番組データの共有が可能となされている。
【００４７】
さらに、本実施形態の第３のユースケースの場合、自動番組録画装置２１は、上記各ユーザ１〜３に関する評価項目、各ユーザ１〜３の携帯電話端末１１〜１３に対応して保存データ領域２３に保存されている番組の保存件数に関する評価項目、各携帯電話端末１１〜１３が当該自動番組録画装置２１にアクセスしたアクセス頻度に関する評価項目、各携帯電話端末１１〜１３にて録画等された番組のジャンルに関する評価項目、各ユーザ１〜３が視聴等した番組の視聴率に関する評価項目、各ユーザ１〜３が視聴或いは携帯電話端末１１〜１３にて録画した番組の時間帯に関する評価項目など、各種の評価項目を基に、上記常時録画領域２２から保存データ領域２３へ保存する番組に対する優先度、及び、保存データ領域２３内に保存されている番組に対する優先度を計算する。また、各ユーザ１〜３が、自動消去機能から保護したい番組については、保護用のフラグを設定することが可能である。そして、自動番組録画装置２１は、当該優先度とフラグに基づいて、常時録画領域２２や保存データ領域２３内における録画データの管理と、ユーザへのメッセージ送信管理等を行う。すなわち例えば、保存データ領域２３の空き領域が少なくなっているような場合、自動番組録画装置２１は、上記更新要求を行った携帯電話端末に対して空き領域が少なくなっている旨を知らせるためのエラー通知メッセージを発行し、またその際、優先度の低い番組が保存データ領域２３に保存されているような場合には、当該優先度が低い番組を保存させたユーザの携帯電話端末へ、当該番組の削除を依頼するメッセージを発行するようなことを行う。なお、例えば優先度が低い番組について予めユーザによる削除許可の設定がなされているような場合には、そのユーザへの削除依頼メッセージを発行することなく当該番組を自動削除するようなことも可能である。
【００４８】
以上のように、本実施形態の第３のユースケースによれば、各ユーザ１〜３は他のユーザにより保存された番組も視聴可能であり、各番組の共有も可能となっている。また、第３のユースケースによれば、優先度に応じて番組の保存等のデータ管理が行われるため、より優先度の高い番組を残しておくことが可能となり、一方、優先度の低い番組が削除されるため保存データ領域２３の容量を有効に活用可能となる。
【００４９】
〔携帯電話端末の内部構成〕
図６には、本実施形態の携帯電話端末の概略的な内部回路構成を示す。
【００５０】
図６において、データラインは、音声データや電子メールデータ、画像データなどの各種データを伝送するための伝送ラインである。制御ラインは、ＣＰＵ（中央処理ユニット）により構成されている制御部３０からの制御データなど、各種制御情報を伝送するための伝送ラインである。
【００５１】
セルラ用アンテナ３３は、携帯電話網の基地局との間で信号電波の送受信を行うためのアンテナであり、セルラ通信部３２に接続されている。セルラ通信部３２は、送受信信号の周波数変換、変調と復調等を行う。
【００５２】
上記セルラ用アンテナ３３及びセルラ通信部３２にて受信された通話音声データは制御部３０による復号等の処理を受けた後、スピーカ４０へ送られ、それ以外の受信データは、制御部３０にて適切に処理された後、必要に応じて当該制御部３０から各部へ送られる。
【００５３】
スピーカ４０は、端末本体に内蔵され、供給された通話音声データや後述するＡＶコーデック部３６から供給されたテレビジョン番組の音声データをアナログ信号に変換し、そのアナログ音声信号を内部増幅器により増幅した後、その音声信号を可聴音声に変換して外部に出力する。これにより、スピーカ４０からは通話音声やテレビジョン番組の音声が出力されることになる。
【００５４】
マイクロホン４１は、端末本体に内蔵され、入力音声をアナログ音声信号に変換すると共に内部増幅器により増幅し、さらにそのアナログ音声信号を制御部３０に送る。当該マイクロホン４１から通話音声信号が供給された時の制御部３０は、その通話音声信号をディジタル音声データに変換した後に符号化し、さらにその符号化後の通話音声データをセルラ通信部３２へ送る。これにより、セルラ用アンテナ３３からは通話音声データが送信されることになる。
【００５５】
ＴＶ用アンテナ３５は、モバイル向けテレビジョン放送や一般向けのテレビジョン放送電波を受信可能なアンテナであり、ＴＶチューナ部３４に接続されている。ＴＶチューナ部３４は、ＴＶ用アンテナ３５により受信されたモバイル向けテレビジョン放送や一般向けのテレビジョン放送信号を適切に復調及びアナログ／デジタル変換等する。当該ＴＶ用チューナ部３４にて復調されたテレビジョン放送データは、ＡＶコーデック部３６へ直接送られる。また、テレビジョン番組の録画が行われる場合、上記テレビジョン放送データは、ＨＤＤ（ハードディスクドライブ）若しくは不揮発性大容量メモリからなる大容量記録部３７に送られて保存される。なお、言うまでもないが、大容量記録部３７は、テレビジョン放送データ以外の各種のデータの記録にも使用される。
【００５６】
ＡＶコーデック部３６は、圧縮符号化されているテレビジョン放送データを伸長復号化し、テレビジョン番組の映像及び音声（ＡＶ）データを復元する。当該テレビジョン番組のＡＶデータのうち、映像データは表示部４２へ送られ、音声データは上記スピーカ４０へ送られる。
【００５７】
表示部４１は、液晶ディスプレイ等とその液晶ディスプレイを駆動するためのディスプレイ駆動回路とからなる。ディスプレイ駆動回路は、制御部３０から供給された各種画面やテキストの表示データ、ＡＶコーデック部３６から供給されたテレビジョン番組の映像データに基づいて、上記液晶ディスプレイを駆動する。これにより、ディスプレイには、各種画面やテキスト、テレビジョン番組の映像等が表示される。
【００５８】
操作部４３は、テンキー（キーボード）や電源ボタン、発話／終話ボタンなどの操作子と、それら操作子の操作に応じた操作信号を発生する操作信号発生器とからなる。ユーザは、この操作部４３を操作することにより、通話のための発着呼や電子メール文の作成、電子メールの送受信、インターネットへの接続、テレビジョン番組の受信や視聴、録画、録画予約、再生等の各種指示操作を行うことができる。
【００５９】
ＬＡＮ通信部４４とＬＡＮ用アンテナ４５は本実施形態の携帯電話端末が無線ＬＡＮ通信を行うためのデバイスである。これらＬＡＮ通信部４４とＬＡＮ用アンテナ４５は、一般的なデータ通信の他、アドホックモードの無線ＬＡＮにより前記自動番組録画装置２１との間でデータの転送を行う際にも使用可能となされている。
【００６０】
近距離通信部４６と近距離通信用アンテナ４７は、例えばブルートゥース通信を行うためのデバイスである。これら近距離通信部４６と近距離通信用アンテナ４７は、一般的なデータ通信の他、上記ブルートゥース通信により前記自動番組録画装置２１との間でデータの転送を行う際にも使用可能となされている。なお、前記自動番組録画装置２１との間のデータ転送は、図示しないホームアールエフ、ＩｒＳｉｍｐｌｅ（ＩｒＤＡ）、無線ＵＳＢ等の近距離通信により行うことも可能である。
【００６１】
メモリ部３１は、ＲＯＭ（Read Only Memory）とＲＡＭ（Random Access Memory）を含む。ＲＯＭは、ＯＳ（Operating System）、制御部３０が各部を制御するための制御プログラムコード、各種の初期設定値、フォントデータ、辞書データ、着信音やキー操作音等の各種音データ、本実施形態にかかるテレビジョン番組の受信及び視聴や録画、再生処理等の各種制御を行うためのプログラムコード、その他、当該端末に搭載される各種のアプリケーション用のプログラムコード、当該端末の機器識別情報（ＩＤ）などを記憶している。このＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、辞書データ、着信音データ、電子メールデータ、電話帳や電子メールアドレス帳のデータ、スケジュール帳のデータ等の様々なデータ、その他、各種のユーザ設定値等を保存することも可能となされている。ＲＡＭは、制御部３０が各種のデータ処理を行う際の作業領域として、随時データを格納する。
【００６２】
制御部３０は、ＣＰＵからなり、上記メモリ部３１に記憶されているＯＳや各種プログラムに基づいて、当該端末の様々な制御、本実施形態にかかるテレビジョン番組の視聴や録画等の処理を行う。
【００６３】
その他、図６には図示を省略しているが、本実施形態の端末は、ディジタルカメラ部や電子財布機能、バッテリ、電力制御機能など、一般的な携帯電話端末が備えている各構成要素についても備えている。
【００６４】
〔自動番組録画装置（録画サーバ）の内部構成〕
図７には、本実施形態の自動番組録画装置２１の概略的な内部回路構成を示す。
【００６５】
図７において、データラインは、音声データや映像データ、その他の各種データを伝送するための伝送ラインである。制御ラインは、ＣＰＵにより構成されている制御部５０からの制御データなど、各種制御情報を伝送するための伝送ラインである。
【００６６】
大容量記録部５３は、例えばＨＤＤからなり、テレビジョン番組を一時的に記録する前述の常時録画領域２２として用いられる。なお、ＨＤＤは前述したように保存データ領域２３にも用いることができる。
【００６７】
光ディスク記録部５３は、ＤＶＤ等の光ディスクの記録再生装置からなる。なお、ＤＶＤは前述したように保存データ領域２３にも用いることができる。
【００６８】
ＴＶ用アンテナ５５は、テレビジョン放送電波を受信するためのアンテナであり、複数のＴＶチューナ部５４に接続されている。ＴＶチューナ部５４は、テレビジョン放送の全チャンネルに対応して複数（ｃｈ１〜ｃｈＮ）設けられており、上記ＴＶ用アンテナ５５により受信された各チャンネルのテレビジョン放送信号の復調やアナログ／デジタル変換等の処理を行う。これら各ＴＶ用チューナ部５４にて復調された各チャンネルのテレビジョン放送データは、ＡＶコーデック部５６へ送られる。
【００６９】
ＡＶコーデック部５６は、圧縮符号化されている各チャンネルのテレビジョン放送データを伸長復号化し、各チャンネルのテレビジョン番組の映像及び音声（ＡＶ）データを復元する。当該各チャンネルのテレビジョン番組のＡＶデータは、大容量記録部５２に送られて記録（録画）される。
【００７０】
表示部６０は、ＬＥＤ（発光ダイオード）ディスプレイ或いは液晶ディスプレイ等とそのディスプレイを駆動するためのディスプレイ駆動回路とからなる。ディスプレイ駆動回路は、制御部５０から供給されたチャンネルや時刻、操作モード等の表示データに基づいて、上記ディスプレイを駆動する。これにより、ディスプレイには、チャンネルや時刻、現在の操作モードの状態などが表示される。
【００７１】
操作部６１は、チャンネル選択や再生、録画、停止、一時停止、録画予約等の各種操作を行うための操作ボタンと、それら操作ボタンの操作に応じた操作信号を発生する操作信号発生器とからなる。ユーザは、この操作部６１を操作することにより、チャンネル選択や再生、録画、停止、一時停止、録画予約等の各種操作指示を行うことができる。
【００７２】
ＡＶ出力部６２は、図示しないテレビジョン受像機のモニタ及びスピーカに接続されており、上記大容量記憶部５２から再生されたＡＶデータや光ディスク記録部５３にて再生されたＡＶデータ、或いは、受信中のテレビジョン番組のＡＶデータ等を、上記テレビジョン受像機のモニタ及びスピーカへ出力するためのインターフェースデバイスである。
【００７３】
リモコン部６３は、図示しないリモートコントローラとの間で例えば赤外線通信等を行い、上記リモートコントローラを通じてユーザから入力されるチャンネル選択や再生、録画、停止、一時停止、録画予約等の各種操作指示を受け取るためのインターフェースデバイスである。
【００７４】
ＬＡＮ通信部６４とＬＡＮ用アンテナ６５は、本実施形態の自動番組録画装置２１が無線ＬＡＮ通信を行うためのデバイスである。これらＬＡＮ通信部６４とＬＡＮ用アンテナ６５は、一般的なデータ通信の他、アドホックモードの無線ＬＡＮにより本実施形態の携帯電話端末との間でデータの転送を行う際にも使用可能となされている。
【００７５】
近距離通信部６６と近距離通信用アンテナ６７は、例えばブルートゥース通信を行うためのデバイスである。これら近距離通信部６６と近距離通信用アンテナ６７は、一般的なデータ通信の他、上記ブルートゥース通信により前記携帯電話端末との間でデータの転送を行う際にも使用可能となされている。なお、前記携帯電話端末との間のデータ転送は、図示しないホームアールエフ、ＩｒＳｉｍｐｌｅ（ＩｒＤＡ）、無線ＵＳＢ等の近距離通信により行うことも可能である。
【００７６】
メモリ部５１は、ＲＯＭとＲＡＭを含む。ＲＯＭは、ＯＳ、制御部５０が各部を制御するための制御プログラムコード、各種の初期設定値、本実施形態にかかる番組録画再生等の制御を行うためのプログラムコード、前述した常時録画領域２２と保存データ領域へのデータ記録と転送制御のためのプログラムコード、前述した評価項目に応じた優先度の計算や番組保存管理、前述したエラー通知メッセージや削除依頼メッセージ等の更新エラー情報の発行などの各処理を行うためのプログラムコード、その他、当該装置に搭載される各種のアプリケーション用のプログラムコード、当該装置の機器識別情報（ＩＤ）などを記憶している。このＲＯＭは、ＮＡＮＤ型フラッシュメモリ或いはＥＥＰＲＯＭのような書き換え可能なＲＯＭを含み、更新プログラムや電子番組表（ＥＰＧ）のデータ、その他、各種のユーザ設定値等を保存することも可能となされている。ＲＡＭは、制御部５０が各種のデータ処理を行う際の作業領域として、随時データを格納する。
【００７７】
制御部５０は、ＣＰＵからなり、上記メモリ部５１に記憶されているＯＳや各種プログラムに基づいて、当該装置の様々な制御、本実施形態にかかるテレビジョン番組の録画や保存、番組管理、優先度計算、メッセージ発行などの処理を行う。
【００７８】
〔携帯電話端末と自動番組録画装置のデータフロー〕
図８には、携帯電話端末と自動番組録画装置で行われるデータの流れを示す。
【００７９】
図８において、本実施形態の携帯電話端末側では、ユーザの録画予約の指示に従い、処理Ｔ１にて例えばモバイル向けテレビジョン放送番組を受信し、処理Ｔ２にてその受信したテレビジョン番組を録画する。また、この時の携帯電話端末は、処理Ｔ２にて、その録画したテレビジョン番組のタイトルデータ（Ｔ３）等を記録する。
【００８０】
一方、自動番組録画装置（録画サーバ）側では、処理Ｔ１１にて常時、一般の全チャンネルのテレビジョン放送番組を受信し、処理Ｔ１２にてそれら受信した全チャンネルのテレビジョン放送番組のデータ（Ｔ１４）とタイトルデータ（Ｔ１３）を一時的に（例えば２４時間や一週間等）録画する。
【００８１】
次に、携帯電話端末のユーザが帰宅等し、近距離通信若しくはＬＡＮ通信により、携帯電話端末と自動番組録画装置が通信可能になると、携帯電話端末側からは処理Ｔ５にて、自動番組録画装置に対して更新要求を発行する。
【００８２】
上記更新要求を受けとると、自動番組録画装置側では、処理Ｔ１６にて、当該受信した更新要求にかかる番組に関する評価項目のデータを基に、保存する番組の優先度を計算し、次いで、処理Ｔ１５にてタイトルデータ（Ｔ１９）とテレビジョン放送番組のデータ（Ｔ２０）の保存、管理を行う。また、自動番組録画装置は、上記処理Ｔ１５における番組データの管理状態を、処理Ｔ１７にてサーバ管理情報として上記携帯電話端末側へ通知する。すなわち、この管理サーバ情報には、保存した番組の情報に加え、前述したエラー通知メッセージ、削除依頼メッセージなどの更新エラー情報が含まれる。
【００８３】
また、携帯電話端末から高品質データ転送の要求があった場合には、自動番組録画装置では、処理Ｔ２１として、保存データ領域２３に保存してあるＡＶデータを携帯電話端末で扱えるデータ形式に変換する処理（動画変換処理）を行い、その高品質ＡＶデータを処理Ｔ１８にて携帯電話端末側に転送する。
【００８４】
そしてこの時の携帯電話端末は、処理Ｔ２にて、既存のＡＶデータ（Ｔ４）を上記転送されてきた高品質なＡＶデータと置換する。
【００８５】
〔携帯電話端末における更新動作のフローチャート〕
図９には、本実施形態の携帯電話端末で行われる処理の流れを示す。この図９のフローチャートは、主に、携帯電話端末の制御部３０が行う制御の流れを示す。
【００８６】
図９において、自動番組録画装置２１と通信可能な状態になると、制御部３０は、先ず、ステップＳ１０の処理として、ＬＡＮ通信部４４或いは近距離通信部４６を通じて、更新要求を自動番組録画装置２１へ送信させる。
【００８７】
次に、制御部３０は、自動番組録画装置２１から受信したサーバ管理情報に前述のエラー通知メッセージや削除依頼メッセージなどの更新エラー情報が含まれているか否か判定し、更新エラー情報を受信したときにはステップＳ１６へ処理を進め、ユーザに対してその更新エラー情報に応じた対策を施すことを求める。一方、更新エラー情報を受信しなかった場合にはステップＳ１２へ処理を進め、受信したサーバ管理情報により内部の情報を更新する。
【００８８】
次に、制御部３０は、自動番組録画装置２１にて録画された高品質のＡＶデータを要求する旨の設定がなされているか調べ、高品質ＡＶデータの転送要求設定がなされている時にはステップＳ１４へ処理を進め、一方、高品質ＡＶデータの転送要求設定がなされていないときには当該図９のフローチャートの処理を終了する。
【００８９】
上記ステップＳ１３にて高品質ＡＶデータの転送要求設定がなされていると判定してステップＳ１４の処理に進むと、制御部３０は、ＬＡＮ通信部４４或いは近距離通信部４６を通じて、高品質ＡＶデータの転送要求を自動番組録画装置２１へ送信させる。
【００９０】
次に、制御部３０は、ステップＳ１５の処理として、上記自動番組録画装置２１から高品質ＡＶデータを受信すると、その高品質ＡＶデータにより既存のＡＶデータを置換する。
【００９１】
〔自動番組録画装置における更新動作のフローチャート〕
図１０には、本実施形態の自動番組録画装置で行われる処理の流れを示す。この図１０のフローチャートは、主に、自動番組録画装置の制御部５０が行う制御の流れを示す。
【００９２】
図１０において、携帯電話端末と通信可能な状態になると、制御部５０は、先ず、ステップＳ２０の処理として、ＬＡＮ通信部６４或いは近距離通信部６６を通じて、更新要求を携帯電話端末から受信させる。
【００９３】
上記更新要求を受け取ると、制御部５０は、ステップＳ２１の処理として、前述した各評価項目に基づいて、各番組についての優先度を計算する。
【００９４】
次に、制御部５０は、ステップＳ２２の処理として、保存データ領域２３に空き容量を調査し、当該保存データ領域２３に番組の新規の保存が可能か否か判定し、保存不可能であると判定した場合には、ステップＳ２９にて前述したエラー通知メッセージや削除依頼メッセージなどの更新エラー情報を生成し、ＬＡＮ通信部６４或いは近距離通信部６６を通じて、それを携帯電話端末側に通知する。
【００９５】
一方、保存データ領域２３に番組の新規保存が可能であると判定した場合、制御部５０は、ステップＳ２３の処理として、常時録画領域２２に録画されている番組のうち、上記更新要求に対応した番組のデータを保存データ領域２３に転送する。
【００９６】
次に、制御部５０は、ステップＳ２４の処理として、保存データ領域２３に保存した各番組についての管理情報を更新し、その後、ステップＳ２５の処理として、ＬＡＮ通信部６４或いは近距離通信部６６を通じて、携帯電話端末へサーバ管理情報を送信させる。
【００９７】
次に、制御部５０は、ステップＳ２６の処理として、携帯電話端末から高品質のＡＶデータの転送要求がなされたか否か判定し、当該転送要求がなされていないときにはこの図１０のフローチャートの処理を終了し、一方、転送要求がなされているときにはステップＳ２７へ処理を進める。
【００９８】
ステップＳ２７の処理に進むと、制御部５０は、携帯電話端末から要求された番組のＡＶデータを、その携帯電話端末で扱える形式にデータに変換する。
【００９９】
その後、制御部５０は、ステップＳ２８の処理として、上記変換後の高品質ＡＶデータを、ＬＡＮ通信部６４或いは近距離通信部６６を通じて、携帯電話端末へ転送させる。
【０１００】
〔まとめ〕
以上説明したように、本実施形態によれば、多チャンネルチューナを搭載した自動番組録画装置が自動録画機能により常時録画している全チャンネルの全番組群のうち、テレビジョン機能付き携帯電話端末が録画等した番組を保存データとして扱うようになされているため、自動番組録画装置は、上記常時録画している番組群の中から、携帯電話端末のユーザの嗜好に適合した番組を自動的に決定して保存可能となり、一方、不要な番組はユーザの手を煩わせることなく消去することができる。特に本実施形態の場合、携帯電話端末にて例えば番組タイトルデータを記録するだけで、自動番組録画装置にてその番組のデータを保存させることができる。
【０１０１】
また、本実施形態によれば、携帯電話端末で受信した番組の品質が悪かった場合、或いは受信や視聴、録画が正常にできなかった場合に、自動番組録画装置にてその番組の高品質なＡＶデータを自動的に保存でき、さらに、必要に応じてその高品質なＡＶデータを携帯電話端末に転送可能となっている。
【０１０２】
また、本実施形態によれば、複数の携帯電話端末が１台の自動番組録画装置にアクセスでき、複数のユーザの番組の保存管理が可能となっている。
【０１０３】
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０１０４】
本発明の携帯端末は、上述した実施形態に挙げた携帯電話端末に限定されず、テレビジョン機能を備えたＰＤＡ、カーナビゲーションシステム、携帯型のＡＶ機器等様々な携帯端末にも適用可能である。
【図面の簡単な説明】
【０１０５】
【図１】本発明実施形態の番組録画管理システムの第１のユースケースのうち、ユーザが外出している際の携帯電話端末と自動番組録画装置の動作説明に用いる図である。
【図２】本発明実施形態の番組録画管理システムの第１のユースケースのうち、ユーザが帰宅した時の携帯電話端末と自動番組録画装置の動作説明に用いる図である。
【図３】本発明実施形態の番組録画管理システムの第２のユースケースのうち、ユーザが外出している際の携帯電話端末と自動番組録画装置の動作説明に用いる図である。
【図４】本発明実施形態の番組録画管理システムの第２のユースケースのうち、ユーザが帰宅した時の携帯電話端末と自動番組録画装置の動作説明に用いる図である。
【図５】本発明実施形態の番組録画管理システムの第３のユースケースのうち、ユーザが帰宅した時の携帯電話端末と自動番組録画装置の動作説明に用いる図である。
【図６】本発明実施形態の携帯電話端末の概略的な内部回路構成を示すブロック図である。
【図７】本発明実施形態の自動番組録画装置の概略的な内部回路構成を示すブロック図である。
【図８】本発明実施形態の携帯電話端末と自動番組録画装置のデータフローを示す図である。
【図９】本発明実施形態の携帯電話端末で行われる処理の流れを示すフローチャートである。
【図１０】本発明実施形態の自動番組録画装置で行われる処理の流れを示すフローチャートである。
【符号の説明】
【０１０６】
１，２，３  ユーザ、１１，１２，１３  携帯電話端末、２１  自動番組録画装置（録画サーバ）、２２  常時録画領域、２３  保存データ領域、３０  携帯電話端末の制御部、３１  携帯電話端末のメモリ部、３２  セルラ通信部、３３  セルラ用アンテナ、３４  携帯電話端末のＴＶチューナ部、３５  携帯電話端末のＴＶ用アンテナ、３６  携帯電話端末のＡＶコーデック部、３７  携帯電話端末の大容量記録部、４０  スピーカ、４１  マイクロホン、４２  携帯電話端末の表示部、４３  携帯電話端末の操作部、４４  携帯電話端末のＬＡＮ通信部、４５  携帯電話端末のＬＡＮ用アンテナ、４６  携帯電話端末の近距離通信部、４７  携帯電話端末の近距離通信用アンテナ、５０  自動番組録画装置の制御部、５１  自動番組録画装置のメモリ部、５２  自動番組録画装置の大容量記録部、５３  光ディスク記録部、５４  自動番組録画装置のＴＶチューナ部、５５  自動番組録画装置のＴＶ用アンテナ、５６  自動番組録画装置のＡＶコーデック部、６０  自動番組録画装置の表示部、６１  自動番組録画装置の操作部、６２  ＡＶ出力部、６３  リモコン部、６４  自動番組録画装置のＬＡＮ通信部、６５  自動番組録画装置のＬＡＮ用アンテナ、６６  自動番組録画装置の近距離通信部、６７  自動番組録画装置の近距離通信用アンテナ
【図１】
2007251280.tif 000003
【図２】
2007251280.tif 000004
【図３】
2007251280.tif 000005
【図４】
2007251280.tif 000006
【図５】
2007251280.tif 000007
【図６】
2007251280.tif 000008
【図７】
2007251280.tif 000009
【図８】
2007251280.tif 000010
【図９】
2007251280.tif 000011
【図１０】
2007251280.tif 000012